【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】 ディスクをディスクトレイに搭載した状態で内蔵するカートリッジと、前記カートリッジを所定位置で固定するカートリッジ装着部と、ピックアップと、前記ディスクトレイのディスクに対して前記カートリッジから装置本体内に引き出し、かつ前記ピックアップが設置されている部位まで搬送する搬送機構とを備えた情報ディスク装置のトレイ飛び出し防止構造であって、
前記カートリッジ装着部の所定位置への前記カートリッジの挿入時に、前記ディスクトレイをカートリッジ内の格納位置へ規正する前記情報ディスク装置の構造物を配置することを特徴とするトレイ飛び出し防止構造。
【手続補正２】
【補正対象書類名】明細書
【補正対象項目名】０００１
【補正方法】変更
【補正の内容】
【０００１】
【発明の属する技術分野】
本発明は、ディスクを搭載したディスクトレイを複数枚格納するカートリッジから選択したディスクを引き出し、ピックアップの設置部位まで搬送してディスクに記録／再生を行う情報ディスク装置に用いられ、カートリッジの挿入時にディスクトレイをカートリッジの格納位置へ規正するトレイ飛び出し防止構造に関するものである。
【手続補正３】
【補正対象書類名】明細書
【補正対象項目名】０００２
【補正方法】変更
【補正の内容】
【０００２】
【従来の技術】
近年、パーソナルコンピュータ等において、その記憶媒体の価格や記憶容量などの経済的な優位性、かつ安価で高性能な記録／再生装置のめざましい普及により、ＣＤ−ＲＯＭ，ＣＤ−Ｒ，ＣＤ−ＲＷ等のディスク状記録媒体（以下、ディスクという）が多用されつつある。従来の情報ディスク装置においては、１枚のディスクに対して記録／再生を行うものが大半であり、ディスクに対して記録／再生を行うピックアップの設置部位へは、いわゆる裸の状態あるいはキャディに収納した状態などにより搬送されローディングがなされていた。
【手続補正４】
【補正対象書類名】明細書
【補正対象項目名】０００３
【補正方法】変更
【補正の内容】
【０００３】
さらに、情報ディスク装置では、１枚のディスクを取り扱う構成であることから、取り扱うディスクが複数枚にわたるような処理のとき、例えば、百科事典の内容（文書を含む絵や写真等）を記録したディスクの再生、また画像等の大容量となる情報の記録などの場合、煩雑なディスクの交換を要する。
【手続補正５】
【補正対象書類名】明細書
【補正対象項目名】０００７
【補正方法】変更
【補正の内容】
【０００７】
【発明が解決しようとする課題】
しかしながら、特公平２−５６７４５号公報によるディスクトレイは、回転支持軸により回動する構成となっており、ディスクトレイの移動するスペースを直線移動する構成と比べると広く必要とするという課題がある。また、ディスクトレイが直線移動する構成にすると、複数枚のディスクを搭載するディスクトレイを内蔵するカーリッジにおいて、情報ディスク装置への挿入時に、ディスクを搭載したディスクトレイの一部がカートリッジから突出して、装置内のディスクを選択しピックアップへ搬送する搬送機構の移動に支障をきたす可能性があり、ひいては、装置本体，ディスクトレイ，ディスク等を破損するおそれがあるという問題があった。
【手続補正６】
【補正対象書類名】明細書
【補正対象項目名】０００８
【補正方法】変更
【補正の内容】
【０００８】
本発明は、前記従来技術の問題を解決することに指向するものであり、ディスクトレイが直線移動するように構成された情報ディスク装置において、カートリッジの挿入時にディスクトレイをカートリッジ内の格納位置へ規正して、不用意にディスクトレイが突出することをなくし、円滑なディスクの選択、交換を行うことを可能とするトレイ飛び出し防止構造を提供することを目的とする。
【手続補正７】
【補正対象書類名】明細書
【補正対象項目名】０００９
【補正方法】変更
【補正の内容】
【０００９】
【課題を解決するための手段】
この目的を達成するために、本発明に係るトレイ飛び出し防止構造は、ディスクをディスクトレイに搭載した状態で内蔵するカートリッジと、カートリッジを所定位置で固定するカートリッジ装着部と、ピックアップと、ディスクトレイのディスクに対してカートリッジから装置本体内に引き出し、かつピックアップが設置されている部位まで搬送する搬送機構とを備えた情報ディスク装置のトレイ飛び出し防止構造であって、カートリッジ装着部の所定位置へのカートリッジの挿入時に、ディスクトレイをカートリッジ内の格納位置へ規正する情報ディスク装置の構造物を配置するように構成したものである。
【手続補正８】
【補正対象書類名】明細書
【補正対象項目名】００１２
【補正方法】変更
【補正の内容】
【００１２】
図１は本発明の実施の形態における情報ディスク装置を示す分解斜視図で、１はディスク２を搭載するディスクトレイ、３は、一方側に開口を有し、複数枚のディスクトレイ１が出し入れ自由に格納される箱状のカートリッジである。装置本体の外装は、挿入口４を設けたフロントカバー５、トップカバー６、アンダーカバー７、サイドフレーム８，９とリアフレーム１０とにより構成される。
【手続補正９】
【補正対象書類名】明細書
【補正対象項目名】００１７
【補正方法】変更
【補正の内容】
【００１７】
ここで、図１，図２を参照しながら情報ディスク装置におけるディスク２のローディング動作を説明する。まず、情報ディスク装置へガイドピン３２により案内されてカートリッジ３が挿入される。カートリッジ３がカートリッジ装着部１７の所定位置でロックピン２５によりロックされたとき、前記したディスクトレイ１をロックするロック機構の解除が行われる。これにより、ディスク２を搭載したディスクトレイ１は、カートリッジ３から引き出し可能となる。
【手続補正１０】
【補正対象書類名】明細書
【補正対象項目名】００２０
【補正方法】変更
【補正の内容】
【００２０】
図３は本実施の形態における情報ディスク装置へのカートリッジの挿入時を示す上面図、図４はカートリッジが挿入されディスクトレイの延出腕部の先端部が当接する構造物の例を示す部分拡大図、図５は図４をさらに拡大した部分斜視図である。また、図６はディスクトレイと当接して格納位置へ規正する構造物の一部を示す部分側面図である。
【手続補正１１】
【補正対象書類名】明細書
【補正対象項目名】００２１
【補正方法】変更
【補正の内容】
【００２１】
図３に示すように、情報ディスク装置にカートリッジ３が矢印Ａ方向へ挿入される。このとき、前述したように、カートリッジ３はガイドピンにより案内され、カートリッジ装着部１７の所定位置でロックピンによりロックされる。それと同時に、格納された各ディスクトレイ１がディスク共々抜け出さないように、各ディスクトレイ１の一部と係合しているロック機構の解除がなされ、装置本体内へ引き出し可能となる。
【手続補正１２】
【補正対象書類名】明細書
【補正対象項目名】００２３
【補正方法】変更
【補正の内容】
【００２３】
前述の情報ディスク装置のトレイ飛び出し防止構造として用いられる構造物として、例えば、図４，図５に示すような、クランプベース組立体１６の一部である突起部１６ａ、搬送機構の移動部材６７の一部でありアンローディングされたディスク２を搭載したディスクトレイ１をカートリッジ３内へ押し戻す際にも用いられるＬ状突起部６７ａ、搬送機構の駆動部等も取り付けられるピックアップモジュール１４の一部、さらにピックアップモジュール１４に取り付けられる中継用回路基板８０の一部などがある。
【手続補正１３】
【補正対象書類名】明細書
【補正対象項目名】００２５
【補正方法】変更
【補正の内容】
【００２５】
【発明の効果】
以上説明したように、本発明によれば、装置本体の構造物として配置されたその一部をトレイ飛び出し防止構造とすることで、新たに飛び出し防止構造を設けることなく、カートリッジを用いる利便性を最大限に引き出すと共に、その１つである可搬性によりもたらされる装填時の課題であったカートリッジ内に格納されたディスクが不用意に突出してしまうことを防止できる。さらに、トレイ飛び出し防止構造の部材やディスクトレイ引き出しの際にそれらを回避する機構等を新たに設けることなく、複数のディスクを選択しローディングを行う情報ディスク装置を構築することができるという効果を奏する。
【手続補正１４】
【補正対象書類名】明細書
【補正対象項目名】図面の簡単な説明
【補正方法】変更
【補正の内容】
【図面の簡単な説明】
【図１】
本発明の実施の形態における情報ディスク装置を示す分解斜視図
【図２】
本発明の実施の形態におけるカートリッジの外観斜視図
【図３】
本発明の実施の形態における情報ディスク装置へのカートリッジの挿入時を示す上面図
【図４】
本発明の実施の形態におけるカートリッジが挿入されディスクトレイの延出腕部の先端部が当接する構造物の例を示す部分拡大図
【図５】
本発明の実施の形態における図４をさらに拡大した部分斜視図
【図６】
本発明の実施の形態におけるディスクトレイと当接して格納位置へ規正する構造物の一部を示す部分側面図
【符号の説明】
１  ディスクトレイ
２  ディスク
３  カートリッジ
４  挿入口
５  フロントカバー
６  トップカバー
７  アンダーカバー
８，９  サイドフレーム
１１  プリント基板
１２  ピックアップ
１３  スピンドルモータ
１４  ピックアップモジュール
１５  ピックアップモジュール・ベース
１６  クランプベース組立体
１６ａ  突起部
１７  カートリッジ装着部
１７ａ  カートリッジベース
１７ｂ  カートリッジトップベース
１７ｃ  付勢バネ
１８  クランプ部材
１９  ピックアップ組立体
２０  カートリッジケース
２５  ロックピン
３２  ガイドピン
４１  延出腕部
６７  移動部材
６７ａ  Ｌ状突起部
７０  階段状ガイド機構
８０  中継用回路基板